(57)【要約】【課題】連写撮影時において、現在の撮影枚数を把握し易くする。【解決手段】被写体の像を撮影する撮像部２３と、連写撮影時に撮像部２３により撮影された画像の撮影枚数を計数する撮影枚数カウント部２５と、予め設定された撮影枚数に対応する光を発光する基準ＬＥＤ部３７と、撮影枚数カウント部２５により計数された撮影枚数に対応する光を、連写撮影中に基準ＬＥＤ部３７により発光される光と対比可能に発光する撮影ＬＥＤ部３９とを備えるカメラ１を提供する。【選択図】図４
2009080292.tif 000002
【特許請求の範囲】
【請求項１】
被写体の像を撮影する撮像素子と、
連写撮影時に前記撮像素子により撮影された画像の撮影枚数を計数する撮影枚数計数部と、
予め設定された撮影枚数に対応する基準枚数情報を報知する基準情報報知部と、
前記撮影枚数計数部により計数された撮影枚数に対応する撮影枚数情報を、連写撮影中に前記基準情報報知部により報知される前記基準枚数情報と対比可能に報知する撮影情報報知部と
を備えるカメラ。
【請求項２】
前記基準情報報知部および前記撮影情報報知部が、それぞれ撮影枚数に応じて定められた光の輝度により枚数情報を報知する請求項１に記載のカメラ。
【請求項３】
前記基準情報報知部および前記撮影情報報知部が、それぞれ撮影枚数に応じて定められた光の点滅の時間間隔により枚数情報を報知する請求項１に記載のカメラ。
【請求項４】
前記基準情報報知部および前記撮影情報報知部が、それぞれ撮影枚数に応じて定められた光の波長により枚数情報を報知する請求項１に記載のカメラ。
【請求項５】
前記基準情報報知部および前記撮影情報報知部が、それぞれ撮影枚数に応じて定められた音の出力時間間隔により枚数情報を報知する請求項１に記載のカメラ。
【請求項６】
前記基準情報報知部および前記撮影情報報知部が、それぞれ撮影枚数に応じて定められた音の周波数により枚数情報を報知する請求項１に記載のカメラ。
【発明の詳細な説明】
【技術分野】
【０００１】
本発明は、カメラに関するものである。
【背景技術】
【０００２】
従来、連続画像の撮影時に、撮影枚数に対応付けられた音などを報知するカメラが知られている（特許文献１）。このカメラによれば、連続撮影モードで１枚撮影するたびに枚数に対応した音が報知されるので、音が変化する回数を計数することにより、ユーザは何枚目が撮影されているかを把握することができる。
また、複数の種類の表示パターンを光学的に示す表示部を備え、連写撮影の際に動作状態に応じて異なる表示パターンを示すカメラが知られている（特許文献２）。このカメラによれば、連写撮影において１枚撮影するごとに発光する光の色が変わるので、光の色の変化に基づいて、ユーザは１枚毎にどのタイミングで撮影されたかを知ることができる。
【特許文献１】特開２００５−１０１９０３号公報
【特許文献２】特開２００５−０２６８８６号公報
【発明の開示】
【発明が解決しようとする課題】
【０００３】
しかしながら、特許文献１の１枚撮影するごとに異なる音が報知される手法や、特許文献２の１枚撮影するごとに発光する色を変える手法では、例えば、１秒間に３０枚以上の撮影を行うような高速連写撮影の場合には、枚数の変化は把握することができても、高速になればなるほど現在何枚撮影したかを把握することが困難になるという問題があった。
また、連写撮影中にファインダ等に現在の撮影枚数を数字で表示したのでは、連写撮影が高速になればなるほど撮影枚数の表示が急速に変化するので値を認識することが難しく、かえって撮影枚数を把握するのが困難になるという問題があった。
【０００４】
本発明は、このような事情に鑑みてなされたものであって、連写撮影時において、現在何枚撮影したかを把握し易くすることができるカメラを提供することを目的とする。
【課題を解決するための手段】
【０００５】
上記課題を解決するために、本発明は以下の手段を採用する。
本発明は、被写体の像を撮影する撮像素子と、連写撮影時に前記撮像素子により撮影された画像の撮影枚数を計数する撮影枚数計数部と、予め設定された撮影枚数に対応する基準枚数情報を報知する基準情報報知部と、前記撮影枚数計数部により計数された撮影枚数に対応する撮影枚数情報を、連写撮影中に前記基準情報報知部により報知される前記基準枚数情報と対比可能に報知する撮影情報報知部とを備えるカメラを提供する。
【０００６】
本発明によれば、連写撮影時において、撮像素子により被写体の像が撮影されると、撮影枚数計数部により計数された撮影枚数に対応する撮影枚数情報が撮影情報報知部によって報知されるとともに、予め設定された撮影枚数に対応する基準枚数情報が基準情報報知部によって報知される。
【０００７】
この場合に、撮影枚数情報が基準枚数情報と対比可能に報知されるので、両者が一致するかあるいはどの程度異なるかを瞬時に判断することができる。したがって、基準枚数情報が示す予め設定された撮影枚数、および、撮影枚数の増加に伴う撮影枚数情報の変化を把握しておけば、撮影枚数情報と基準枚数情報との対比により、予め設定された撮影枚数を基準に現在の撮影枚数を直感的に推測することができる。
これにより、高速連写のように撮影枚数が急速に増加する場合であっても、連写撮影中に現在何枚撮影したかを把握し易くすることができる。
【０００８】
上記発明においては、前記基準情報報知部および前記撮影情報報知部が、それぞれ撮影枚数に応じて定められた光の輝度により枚数情報を報知することとしてもよい。
【０００９】
このように構成することで、基準情報報知部により報知された所定の輝度の光と、撮影情報報知部により報知され、撮影枚数の増加に伴って輝度が変化する光との輝度の対比により、現在の撮影枚数を直感的に推測することができる。また、撮影枚数情報および基準枚数情報が視覚によって得られるので、周囲の雑音等に影響されることなく撮影枚数情報を基準枚数情報と精度よく比較することができる。
【００１０】
また上記発明においては、前記基準情報報知部および前記撮影情報報知部が、それぞれ撮影枚数に応じて定められた光の点滅の時間間隔により枚数情報を報知することとしてもよい。
【００１１】
このように構成することで、基準情報報知部により報知された所定の時間間隔で点滅する光と、撮影情報報知部により報知され、撮影枚数の増加に伴って点滅の時間間隔が変化する光との点滅の時間間隔の対比により、現在の撮影枚数を直感的に推測することができる。また、撮影枚数情報および基準枚数情報を視覚によって得ることができる。
【００１２】
また上記発明においては、前記基準情報報知部および前記撮影情報報知部が、それぞれ撮影枚数に応じて定められた光の波長により枚数情報を報知することとしてもよい。
【００１３】
このように構成することで、基準情報報知部により報知された所定の波長の光と、撮影情報報知部により報知され、撮影枚数の増加に伴って波長が変化する光との波長の対比すなわち色の対比により、現在の撮影枚数を直感的に推測することができる。また、撮影枚数情報および基準枚数情報が視覚によって得ることができる。
【００１４】
また上記発明においては、前記基準情報報知部および前記撮影情報報知部が、それぞれ撮影枚数に応じて定められた音の出力時間間隔により枚数情報を報知することとしてもよい。
【００１５】
このように構成することで、基準情報報知部により報知された所定の時間間隔で出力される音と、撮影情報報知部により報知され、撮影枚数の増加に伴って出力される時間間隔が変化する音との出力される時間間隔の対比により、現在の撮影枚数を直感的に推測することができる。また、撮影枚数情報および基準枚数情報が知覚によって得られるので、ユーザが被被写体から目を離さなくても撮影枚数情報を基準枚数情報と精度よく比較することができる。
【００１６】
また上記発明においては、前記基準情報報知部および前記撮影情報報知部が、それぞれ撮影枚数に応じて定められた音の周波数により枚数情報を報知することとしてもよい。
【００１７】
このように構成することで、基準情報報知部により報知された所定の周波数の音と、撮影情報報知部により報知され、撮影枚数の増加に伴って周波数が変化する音との周波数の対比により、現在の撮影枚数を直感的に推測することができる。また、撮影枚数情報および基準枚数情報が知覚によって得ることができる。
【発明の効果】
【００１８】
本発明によれば、連写撮影時において、現在何枚撮影したかを把握し易くすることができるという効果を奏する。
【発明を実施するための最良の形態】
【００１９】
〔第１の実施形態〕
以下、本発明の第１の実施形態に係るカメラについて、図面を参照して説明する。
本実施形態に係るカメラ１は、図１〜図３に示すように、略直方体形状に形成されたカメラ本体３と、該カメラ本体３の前面に配置され、外部からの光を集めて被写体の像を結像させるレンズ５と、該レンズ５を介して取得された画像の撮影枚数に対応する光（撮影枚数情報，基準枚数情報）を発光する発光部（情報報知部）７と、前記カメラ本体３の背面に設けられ、前記レンズ５により結像された被写体の像を表示する光学ファインダ９および液晶ファインダ１１と、単写撮影モードと連写撮影モードとの切換え、前記発光部７の発光モードの選択およびフレームレートの設定等の各種操作を行う操作部１３と、カメラ本体３の上端面に設けられた電源ボタン１５およびシャッタボタン１７とを備えている。なお、符号１９、フラッシュ（補助光）を発光するストロボを示している。
【００２０】
カメラ本体３には、図４に示すように、前記シャッタボタン１７の操作状況を判定するシャッタボタン判定部２１と、前記レンズ５によって結像された被写体の像を撮影して画像データを取得するＣＣＤ等の撮像部（撮像素子）２３と、該撮像部２３により撮影された画像の撮影枚数を計数する撮影枚数カウント部（撮影枚数計数部）２５と、前記発光部７により発光される光の発光パターンを設定する発光パターン設定部２７と、前記撮像部２３により取得された画像データを記憶するＳＤＲＡＭ等のメモリ２９と、前記撮像部２３により取得された画像データに対して三板化や補正等の画像処理を行う画像処理部３１とが備えられている。
【００２１】
また、カメラ本体３には、外部メモリ３３が接続可能であり、画像処理部３１により画像処理された画像データを外部メモリ３３に保存することができるようになっている。また、カメラ本体３においては、撮像部２３、メモリ２９、画像処理部３１、外部メモリ３３および液晶ファインダ１１がシステムバス３５により接続されている。
【００２２】
シャッタボタン判定部２１は、シャッタボタン１７が押されると、シャッタ信号を撮像部２３および撮影枚数カウント部２５に出力するようになっている。具体的には、シャッタボタン判定部２１は、撮像部２３にはシャッタボタン１７が押されている間シャッタ信号を出力し続け、撮影枚数カウント部２５にはシャッタボタン１７が押されるごとにシャッタ信号を出力するようになっている。
【００２３】
撮像部２３は、レンズ５を介して被写体からの光を受光して、その受光データをデジタルデータである画像データにＡＤ変換し、ＡＤ変換後の画像データをシステムバス３５を介して画像処理部３１および液晶ファインダ１１に出力するようになっている。
【００２４】
また、撮像部２３は、前記シャッタボタン判定部２１からのシャッタ信号が入力されると、シャッタを切るタイミング信号を撮影枚数カウント部２５に出力するとともに、タイミング信号に合わせて画像データをメモリ２９および外部メモリ３３に転送するようになっている。なお、撮像部２３は、連写撮影モードにおいては、前記操作部１３において予め設定された連写フレームレートに基づいてタイミング信号を出力するようになっている。
【００２５】
撮影枚数カウント部２５は、撮像部２３からのタイミング信号が入力されるごとに撮影枚数を計数して撮影枚数カウント値Ｎ（Ｎ：撮影枚数）を算出し、算出された撮影枚数カウント値Ｎを発光パターン設定部２７に出力するようになっている。また、撮影枚数カウント部２５は、シャッタボタン判定部２１からのシャッタ信号が入力されると、撮影枚数カウント値Ｎをリセットして初期化（撮影枚数カウント値Ｎ：Ｎ＝０）するようになっている。
【００２６】
発光パターン設定部２７は、前記操作部１３において選択された発光モードに基づいて、基準信号および発光信号を設定して発光部７に出力するようになっている。
ここで、発光モードは、光の輝度が変化するパターンの発光モードＡ、光の点滅の時間間隔が変化するパターンの発光モードＢおよび光の周波数が変化するパターンの発光モードＣから選択されるようになっている。
【００２７】
基準信号は、上記各発光モードＡ，Ｂ，Ｃにおいてそれぞれ基準となる信号であり、所定の枚数を表示するためのものである。
発光信号は、上記各発光モードＡ，Ｂ，Ｃの各パターンに基づいて撮影枚数カウント値Ｎに対応する光を発光させる信号であり、撮影枚数カウント部２５から順次送られてくる撮影枚数カウント値Ｎごとに設定されて発光部７に出力されるようになっている。
【００２８】
したがって、発光パターン設定部２７は、例えば発光モードＡが選択されると、所定の輝度の単色光を点灯させる基準信号ａを設定して発光部７に出力するようになっている。この基準信号ａは、光の輝度が撮影枚数１００枚を示すものとして設定されている。
そして発光パターン設定部２７は、光の輝度が変化するパターン、具体的には、撮影枚数の増加、すなわち、撮影枚数カウント値Ｎが大きくなるに従って、基準信号ａと同色の光が消灯状態から基準信号ａの輝度より高い輝度の点灯状態に変化するパターンに基づいて、撮影枚数カウント部２５から入力された撮影枚数カウント値Ｎごとに発光信号ａ´を設定して発光部７に出力するようになっている。
【００２９】
また、発光パターン設定部２７は、例えば発光モードＢが選択されると、所定の輝度の単色光が比較的遅い一定の時間間隔で点滅する基準信号ｂを設定して発光部７に出力するようになっている。この基準信号ｂは、点滅の時間間隔が撮影枚数１００枚を示すものとして設定されている。
そして発光パターン設定部２７は、光の点滅の時間間隔が変化するパターン、具体的には、撮影枚数カウント値Ｎが大きくなるに従って、基準信号ｂと同色の光が基準信号ｂの点滅の時間間隔より速い点滅状態から基準信号ｂの点滅の時間間隔より遅い点滅状態に変化するパターンに基づいて、撮影枚数カウント部２５から送られてきた撮影枚数カウント値Ｎごとに発光信号ｂ´を設定して発光部７に出力するようになっている。
【００３０】
また、発光パターン設定部２７は、例えば発光モードＣが選択されると、一定の波長の青色の光が点灯する基準信号ｃを設定して発光部７に出力するようになっている。この基準信号ｃは、一定の波長の光の色、すなわち青色が撮影枚数１００枚を示すものとして設定されている。
そして発光パターン設定部２７は、光の周波数が変化するパターン、すなわち、撮影枚数カウント値Ｎが大きくなるに従って、長波長の赤色の光が点灯する状態から黄色、青色、紫色というように短波長の光が点灯する状態に変化するパターンに基づいて、撮影枚数カウント部２５から送られてきた撮影枚数カウント値Ｎごとに発光信号ｃ´を設定して発光部７に出力するようになっている。
【００３１】
発光部７は、発光パターン設定部２７から基準信号ａ，ｂ，ｃが入力されて各基準信号に基づく光を発光する基準ＬＥＤ部（基準情報報知部）３７と、発光パターン設定部２７から発光信号ａ´，ｂ´，ｃ´が入力されて各発光信号に基づく光を発光する撮影ＬＥＤ部（撮影情報報知部）３９とを有している。
【００３２】
基準ＬＥＤ部３７および撮影ＬＥＤ部３９は、それぞれカメラ本体３の前面および背面において隣接して設置されている。これにより、ユーザおよび被写体の両者が、基準ＬＥＤ部３７により発光される光と撮影ＬＥＤ部３９により発光される光とを連写撮影中に対比できるようになっている。
【００３３】
液晶ファインダ１１は、撮像部２３により取得された画像データが画像処理部３１を介して入力されると、各画像データを連続表示することによりスルー画像として動きのある画像を表示するようになっている。また、液晶ファインダ１１は、メモリ２９に記憶された画像データや外部メモリ３３に保存された画像データが入力されて、各画像データ撮像画像として表示するようになっている。
なお、光学ファインダ９は、レンズ５を介して得られた被写体の像が光学レンズ等を介して表示されるものである。
【００３４】
操作部１３は、レンズ５により撮像部２３に結像させる被写体の像を拡大または縮小するＷｉｄｅボタンおよびＴｅｌｅボタン４１と、単写撮影モードと連射撮影モードとの切換えを行う撮影モード選択ダイヤル４３と、発光モードＡ，ＢまたはＣの選択やフレームレート等の撮影条件の設定等を行う決定ボタン４５およびカーソルボタン４７とを有している。
【００３５】
このように構成された本実施形態に係るカメラ１の作用について説明する。
本実施形態に係るカメラ１を起動させると、レンズ５により撮像部２３の撮像面に結像される被写体の像が撮像部２３によって撮影され、その画像データが撮像部２３からシステムバス３５を介して画像処理部３１へ出力される。
【００３６】
画像処理部３１に入力された画像データは、三板化や補正等の画像処理が行われた後、液晶ファインダ１１に送られて連続表示されることにより動きのあるスルー画像として表示される。これにより、ユーザは被写体を撮像部２３を介して液晶ファインダ１１に表示される画像によって見ることができる。
【００３７】
単写撮影モードにおいては、この状況でシャッタボタン１７が押されると、シャッタボタン判定部２１から撮像部２３にシャッタ信号が出力され、撮像部２３により被写体の画像データが取得される。撮像部２３により取得された画像データは、システムバス３５を介してメモリ２９に転送されて記憶されるとともに、画像処理部３１に送られて画像処理される。画像処理部３１において画像処理された画像データは、外部メモリ３３に転送されて保存されるとともに液晶ファインダ１１に送られて一時的に表示される。
【００３８】
次に、本実施形態に係るカメラ１の連写撮影時の動作を、図５および図６に示すフローチャート図を用いて詳細に説明する。
操作部１３において、撮影モード選択ダイヤル４３が連写撮影モードに設定され、決定ボタン４５およびカーソルボタン４７が操作されて発光モードＡ、連写フレームレートおよび連写撮影枚数等の撮影条件が入力されると、シャッタボタン判定部２１においてシャッタボタン１７が押されたか否かが判定される（ステップＳＡ１）。
【００３９】
ステップＳＡ１において、所定の時間内にシャッタボタン１７が押されないと、シャッタボタン判定部２１によりシャッタボタン１７が押されたと判定されず（スタップＳＡ１「ＮＯ」）、連写撮影モードが終了する。
一方、所定の時間内にシャッタボタン１７が押されると、シャッタボタン１７によりシャッタボタン１７が押されたと判定され（ステップＳＡ１「ＹＥＳ」）、シャッタボタン判定部２１から撮影枚数カウント部２５および撮像部２３にシャッタ信号が出力される。
【００４０】
撮影枚数カウント部２５においては、シャッタボタン判定部２１からのシャッタ信号が入力されると、撮影枚数カウント値Ｎが初期化（撮影枚数カウント値Ｎ：Ｎ＝０）される（ステップＳＡ２）。
【００４１】
また、発光パターン設定部２７においては、操作部１３において設定された発光モードＡが入力されると、所定の輝度の単色光が点灯する基準信号ａが設定されて基準ＬＥＤ部３７に出力される。これにより、基準ＬＥＤ部３７が所定の輝度で点灯される（ステップＳＡ３）。
【００４２】
一方、撮像部２３においては、シャッタボタン判定部２１からシャッタ信号が入力されると、操作部１３において設定された連写フレームレートに基づいて被写体の像が撮影される。これにより、連写フレームレートに基づくタイミング信号が撮影枚数カウント部２５へ順次出力されるとともに、取得された画像データがシステムバス３５を介して順次メモリ２９へ転送される（ステップＳＡ４）。
【００４３】
撮影枚数カウント部２５においては、撮像部２３からタイミング信号が順次入力されるごとに撮影枚数が計数されて（ステップＳＡ５）、撮影枚数カウント値Ｎが算出される。算出された撮影枚数カウント値Ｎは撮影枚数カウント部２５から発光パターン設定部２７に順次送られて、発光パターン設定部２７により発光信号ａ´が設定されて撮影ＬＥＤ部３９に出力される。
【００４４】
ここで、発光パターン設定部２７による発光信号の設定（ステップＳＡ６）について、図６のフローチャート図を用いて詳細に説明する。
発光パターン設定部２７においては、発光信号の設定が開始されると、操作部１３において入力された発光モードＡにより（ステップＳＢＡ１）、撮影枚数カウント値Ｎに対応して基準ＬＥＤ部３７と同色の光が消灯状態から点灯状態に変化するパターンに基づいて、撮影枚数カウント部２５から送られてきた撮影枚数カウント値Ｎごとに発光信号ａ´が設定される（ステップＳＢＡ２）。
【００４５】
図５のフローチャート図に戻り、ステップＳＡ６において、発光パターン設定部２７により設定された発光信号ａ´は撮影ＬＥＤ部３９に順次出力され、撮影ＬＥＤ部３９において、撮影枚数カウント値Ｎに対応する輝度の光が点灯される。これにより、撮影ＬＥＤ部３９からは、撮影枚数カウント値Ｎの増加に伴って基準ＬＥＤ部と同色の光が輝度を変化させながら発光される（ステップＳＡ７）。
【００４６】
具体的には、撮影ＬＥＤ部３９は、撮影枚数カウント値Ｎ（Ｎ＝０）に対応する消灯状態から、撮影枚数の増加に伴って点灯状態へと変化していく。この場合に、基準ＬＥＤ部３７が撮影枚数１００枚を示す輝度で点灯しているので、ユーザおよび被写体は撮影ＬＥＤ部３９の輝度と基準ＬＥＤ部３７の輝度とを対比することにより、連写撮影中に撮影枚数１００枚を基準にして現在の撮影枚数を直感的に推測することができる。
【００４７】
すなわち、撮影ＬＥＤ部３９の輝度が基準ＬＥＤ部３７の輝度より低い間は、撮影枚数が１００枚より少ないことが分かる。また、撮影枚数が増えるにつれて撮影ＬＥＤ部３９の輝度が高くなり、撮影ＬＥＤ部３９の輝度が基準ＬＥＤ部３７の輝度と同じレベルになると撮影枚数が１００枚に達したことが分かる。そして、撮影ＬＥＤ部３９の輝度が基準ＬＥＤ部３７の輝度より高くなると、撮影枚数が１００枚より多くなったことが分かる。
【００４８】
ステップＳＡ４において、撮像部２３から転送された画像データは、メモリ２９において順次記憶された後、画像処理部３１に出力されて画像処理される。そして、画像処理部３１において画像処理された画像データは、液晶ファインダ１１に送られて表示されるとともに、外部メモリ３３へと転送される（ステップＳＡ８）。これにより、連写撮影により得られた複数の画像データが外部メモリ３３に保存される。
【００４９】
一方、シャッタボタン判定部２１においては、連写撮影が行われている間、シャッタボタン１７の押し込みが解除されたか否かが判定されている（ステップＳＡ９）。シャッタボタン判定部２１においてシャッタボタン１７が押されていると判定されている間は（ステップＳＡ９「ＮＯ」）、ステップＳＡ４〜ステップＳＡ８の動作が繰り返される。
【００５０】
一方、シャッタボタン判定部２１においてシャッタボタン１７の押し込みが解除されたと判定されると（ステップＳＡ９「ＹＥＳ」）、シャッタボタン判定部２１から撮像部２３へのシャッタ信号の出力および撮像部２３から撮影枚数カウント部２５へのタイミング信号の出力が停止する。これにより、撮影枚数カウント部２５による撮影枚数の計数が停止して、発光パターン設定部２７への撮影枚数カウント値Ｎの出力が終了し、撮影ＬＥＤ部３９が消灯される（ステップＳＡ１０）。そして、液晶ファインダ１１の表示がスルー画像に切替わり、連写撮影モードが終了する。
【００５１】
以上説明してきたように、本実施形態に係るカメラ１によれば、連写撮影による撮影枚数の増加に伴って撮影ＬＥＤ部３９の輝度が変化するとともに、撮影枚数１００枚に対応する輝度で基準ＬＥＤ部３７が点灯するので、撮影ＬＥＤ部３９の輝度と基準ＬＥＤ部３７の輝度との対比により、撮影枚数１００枚を基準に現在の撮影枚数を直感的に推測することができる。これにより、高速連写により撮影枚数が急速に増加する場合であっても、連写撮影中に現在何枚撮影したかを把握し易くすることができる。
【００５２】
なお、本実施形態においては、発光モードＡを例示して説明したが、例えば、発光モードＢの場合には（図６のステップＳＢＢ１参照）、発光パターン設定部２７においては、所定の輝度の単色光が比較的遅い一定の時間間隔で点滅する基準信号ｂが設定されて基準ＬＥＤ部３７に出力される。これにより、基準ＬＥＤ部３７が比較的遅い一定の時間間隔で点滅される。なお、基準信号ｂによる基準ＬＥＤ部３７の点滅の時間間隔が、撮影枚数１００枚を示すものとして設定されている。
【００５３】
また、発光パターン設定部２７においては、撮影枚数カウント値Ｎに対応して基準ＬＥＤ部３７と同色の光が、基準ＬＥＤ部３７が点滅する時間間隔より速い点滅状態から遅い点滅状態に変化するパターンに基づいて、撮影枚数カウント部２５から送られてきた撮影枚数カウント値Ｎごとに発光信号ｂ´が設定される（同ステップＳＢＢ２参照）。そして、発光パターン設定部２７により設定された発光信号ｂ´は撮影ＬＥＤ部３９に順次出力され、撮影ＬＥＤ部３９において、撮影枚数カウント値Ｎに対応する時間間隔で光が点滅される。
【００５４】
この場合、撮影ＬＥＤ部３９が点滅する時間間隔が、基準ＬＥＤ部３７が点滅する時間間隔より速い間は撮影枚数が１００枚より少ないことが分かる。また、撮影枚数が増えるにつれて撮影ＬＥＤ部３９の点滅の時間間隔が遅くなり、撮影ＬＥＤ部３９の点滅の時間間隔と基準ＬＥＤ部３７の点滅の時間間隔とが同じ時間間隔になると、撮影枚数が１００枚に達したことが分かる。そして、撮影ＬＥＤ部３９の点滅の時間間隔が基準ＬＥＤ部３７の点滅の時間間隔より遅くなると、撮影枚数が１００枚より多くなったことが分かる。
なお、基準ＬＥＤ部３７が比較的速い一定の時間間隔で点滅し、撮影ＬＥＤ部３９の点滅の時間間隔が基準ＬＥＤ部３７の点滅の時間間隔より遅い点滅状態から、撮影枚数が増えるにつれて基準ＬＥＤ部３７の点滅の時間間隔より速い点滅状態に変化することとしてもよい。
【００５５】
また、例えば、発光モードＣの場合には（図６のステップＳＢＣ１参照）、発光パターン設定部２７においては、一定の波長の青色の光が点灯する基準信号ｃが設定されて基準ＬＥＤ部３７に出力される。これにより、基準ＬＥＤ部３７は一定の波長の青色の光が点灯される。なお、基準信号ｃにより基準ＬＥＤ部３７が点灯する一定の波長の光すなわち青色が、撮影枚数１００枚を示すものとして設定されている。
【００５６】
また、撮影ＬＥＤ部３９においては、撮影枚数カウント値Ｎに対応して長波長の赤色の光が点灯する状態から黄色、青色、紫色というように短波長の光が点灯する状態に変化するパターンに基づいて、撮影枚数カウント部２５から送られてきた撮影枚数カウント値Ｎごとに発光信号ｃ´が設定される（同ステップＳＢＣ２参照）。そして、発光パターン設定部２７により設定された発光信号ｃ´は撮影ＬＥＤ部３９に順次出力され、撮影ＬＥＤ部３９において、撮影枚数カウント値Ｎに対応する周波数の光が点灯される。
【００５７】
この場合、撮影ＬＥＤ部３９の光の色が基準ＬＥＤ部３７の青色の光より長波長の光、すなわち、光が赤色や黄色の間は撮影枚数が１００枚より少ないことが分かる。また、撮影枚数が増えるにつれて撮影ＬＥＤ部３９が長波長の光から短波長の光に変化して、撮影ＬＥＤ部３９が基準ＬＥＤ部３７と同じ波長の青色の光になると、撮影枚数が１００枚に達したことが分かる。そして、撮影ＬＥＤ部３９が基準ＬＥＤ部３７の光より短波長の光の色、すなわち、紫色になると、撮影枚数が１００枚より多くなったことが分かる。
なお、基準ＬＥＤ部３７が黄色の光で点灯し、撮影ＬＥＤ部３９が基準ＬＥＤ部３７の光より短波長の光の色、すなわち、紫色または青色から、撮影枚数が増えるにつれて基準ＬＥＤ部３７の光より長波長の光の色、すなわち、赤色に変化することとしてもよい。
【００５８】
〔第２の実施形態〕
次に、本発明の第２の実施形態に係るカメラ１０１について説明する。
本実施形態に係るカメラ１０１は、図７に示すように、カメラ本体１０３が発光パターン設定部２７に代えて音声パターン設定部１２７を備える点と、発光部７に代えて音声出力部１０７を備える点で、第１の実施形態と異なる。
以下、第１の実施形態に係るカメラ１と構成を共通する箇所には、同一符号を付して説明を省略する。
【００５９】
音声パターン設定部１２７は、操作部１３において選択された音声モードに基づいて、基準信号および音声信号を設定して音声出力部１０７に出力するようになっている。
ここで、音声モードは、音の周波数が変化するパターンの音声モードＤおよび音の出力時間間隔が変化するパターンの音声モードＥから選択されるようになっている。
【００６０】
基準信号は、上記各音声モードＤまたはＥにおいてそれぞれ基準となる信号であり、所定の枚数を表示するためのものである。
音声信号は、上記各音声モードＤまたはＥのパターンに基づいて撮影枚数カウント値Ｎに対応する音声を出力させる信号であり、撮影枚数カウント部２５から送られてくる撮影枚数カウント値Ｎごとに設定されて音声出力部１０７に出力されるようになっている。
【００６１】
したがって、音声パターン設定部１２７は、例えば音声モードＤが選択されると、所定の音が比較的高い一定の周波数で出力される基準信号ｄを出力するようになっている。この基準信号ｄは、出力される音の一定の周波数が撮影枚数１００枚を示すものとして設定されている。
そして音声パターン設定部１２７は、音の周波数が変化するパターン、具体的には、撮影枚数カウント値Ｎが大きくなるに従って、基準信号ｄの周波数の音より低い周波数の音が基準信号ｄの周波数の音より高い周波数の音に変化するパターンに基づいて、撮影枚数カウント部２５から送られてきた撮影枚数カウント値Ｎごとに音声信号ｄ´を設定して音声出力部１０７に出力するようになっている。
【００６２】
また、音声パターン設定部１２７は、例えば音声モードＥが選択されると、比較的遅い一定の時間間隔でドの音を出力する基準信号ｅを音声出力部１０７に出力するようになっている。この基準信号ｅは、出力されるドの音の時間間隔が撮影枚数１００枚を示すものとして設定されている。
そして音声パターン設定部１２７は、音の出力時間間隔が変化するパターン、すなわち、撮影枚数カウント値Ｎが大きくなるに従って、基準信号ｅのドの音の出力時間間隔より速い出力時間間隔のレの音が基準信号ｅのドの音の出力時間間隔より遅い出力時間間隔に変化するパターンに基づいて、撮影枚数カウント部２５から送られてきた撮影枚数カウント値Ｎごとに音声信号ｅ´を設定して音声出力部１０７に出力するようになっている。
【００６３】
音声出力部１０７は、基準信号ｄまたはｅが入力されて各基準信号に基づく音を出力する基準スピーカ（基準情報報知部）１３７と、音声パターン設定部１２７から音声信号ｄ´またはｅ´が入力されて各音声パターンに基づく音を出力する撮影スピーカ（撮影情報報知部）１３９とを有している。
【００６４】
基準スピーカ１３７および撮影スピーカ１３９は、それぞれカメラ本体３の前面において隣接して設置されている。これにより、ユーザおよび被写体の両者が基準スピーカ１３７から出力される音と撮影スピーカ１３９から出力される音とを対比し易くなっている。
【００６５】
このように構成された本実施形態に係るカメラ１０１の作用について、図９および図１０のフローチャート図を参照して説明する。
操作部１３において連写撮影モードに設定されて音声モードＥ等が入力されると、音声パターン設定部１２７においては、操作部１３において設定された音声モードＥが入力され、比較的遅い一定の時間間隔でドの音が出力される基準信号ｅが設定されて基準スピーカ１３７に出力される。これにより、基準スピーカ１３７から比較的遅い一定の時間間隔でドの音が出力される（ステップＳＣ３）。
【００６６】
また、撮影枚数カウント部２５により算出された撮影枚数カウント値Ｎが音声パターン設定部１２７に順次送られて、音声パターン設定部１２７により音声信号ｅ´が設定されて撮影スピーカ１３９に出力される
【００６７】
ここで、音声パターン設定部１２７による音声信号の設定（ステップＳＣ６）について、図１０のフローチャート図を用いて詳細に説明する。
音声パターン設定部１２７においては、音声信号の設定が開始されると、操作部１３において入力された音声モードＥにより（ステップＳＤＥ１）、撮影枚数カウント部２５から順次送られてくる撮影枚数カウント値Ｎに対応して基準信号ｅのドの音の出力時間間隔より速い出力時間間隔のレの音が遅い出力時間間隔に変化するパターンに基づいて、撮影枚数カウント部２５から送られてきた撮影枚数カウント値Ｎごとに音声信号ｅ´設定される（ステップＳＤＥ２）。
【００６８】
図９のフローチャート図に戻り、ステップＳＣ６において、音声パターン設定部１２７により設定された音声信号ｅ´は、撮影スピーカ１３９に順次出力され、撮影スピーカ１３９において、撮影枚数カウント値Ｎに対応する出力時間間隔でレの音が出力される。これにより、撮影スピーカ１３９からは、撮影枚数カウント値Ｎの増加に伴ってレの音が出力時間間隔を変化させられながら出力される（ステップＳＣ７）。
【００６９】
具体的には、撮影スピーカ１３９から出力されるレの音の時間間隔が、撮影枚数カウント値Ｎ（Ｎ＝０）に対応する出力状態すなわち基準スピーカ１３７から報知されるドの出力時間間隔より速い状態から、撮影枚数の増加に伴って遅い状態へと変化していく。この場合に、基準スピーカ１３７から出力されるドの音の時間間隔が撮影枚数１００枚を示しているので、ユーザおよび被写体は撮影スピーカ１３９から出力されるレの音の時間間隔と基準スピーカ１３７から出力されるドの音の時間間隔とを比較することにより、連写撮影中に撮影枚数１００枚を基準にして現在の撮影枚数を直感的に推測することができる。
【００７０】
すなわち、撮影スピーカ１３９から出力されるレの音の時間間隔が基準スピーカ１３７から出力されるドの音の時間間隔より速い間は撮影枚数が１００枚より少ないことが分かる。また、撮影枚数が増えるにつれて撮影スピーカ１３９から出力されるレの音の時間間隔が遅くなり、撮影スピーカ１３９から出力されるレの音の時間間隔が基準スピーカ１３７から出力されるドの音の時間間隔と同じ時間間隔になると撮影枚数が１００枚に達したことが分かる。そして、撮影スピーカ１３９から報知されるレの音の時間間隔が基準スピーカ１３７から出力されるドの音の時間間隔より遅くなると、撮影枚数が１００枚より多くなったことが分かる。
【００７１】
以上説明してきたように、本実施形態に係るカメラ１０１によれば、連写撮影による撮影枚数の増加に伴って撮影スピーカ１３９から出力されるレの音の時間間隔が変化するとともに、撮影枚数１００枚に対応する時間間隔で基準スピーカ１３７からドの音が出力されるので、撮影スピーカ１３９から出力されるレの音の時間間隔と基準スピーカ１３７から出力されるドの音の時間間隔との比較により、撮影枚数１００枚を基準に現在の撮影枚数を直感的に推測することができる。これにより、高速連写により撮影枚数が急速に増加する場合であっても、連写撮影中に現在何枚撮影したかを把握し易くすることができる。
【００７２】
なお、本実施形態においては、基準スピーカ１３７が比較的速い時間間隔でドの音を出力し、撮影スピーカ１３９から出力されるレの音が、基準スピーカ１３７から出力されるドの音の時間間隔より遅い時間間隔から、撮影枚数が増えるにつれて速い時間間隔に変化することとしてもよい。
また、本実施形態においては、ドやレの音が出力されることを例示して説明したが、出力される音はこれに限定されるものではない。
【００７３】
また、本実施形態においては、音声モードＥを例示して説明したが、例えば、音声モードＤによる音声パターンｄ´の場合には（図１０のステップＳＤＤ１参照）、音声パターン設定部１２７においては、所定の音が比較的高い一定の周波数で出力される基準信号ｄが設定されて基準スピーカ１３７に出力される。これにより、基準スピーカ１３７から比較的高い一定の周波数の音が出力される。なお、基準信号ｄにより基準スピーカ１３７から出力される音の周波数が、撮影枚数１００枚を示すものとして設定されている。
【００７４】
また、撮影スピーカ１３９においては、撮影枚数カウント値Ｎに対応して基準信号ｄの比較的高い周波数の音より低い周波数の音が高い周波数の音に変化するパターンに基づいて、撮影枚数カウント部２５から送られてきた撮影枚数カウント値Ｎごとに音声信号ｄ´が設定される（同ステップＳＤＤ２参照）。そして、音声パターン設定部１２７により設定された音声信号ｄ´は撮影スピーカ１３９に出力され、撮影スピーカ１３９において、撮影枚数カウント値Ｎに対応する周波数の音が出力される。
【００７５】
この場合、撮影スピーカ１３９から出力される音の周波数が基準スピーカ１３７から出力される音の周波数より低い間は撮影枚数が１００枚より少ないことが分かる。また、撮影枚数が増えるにつれて撮影スピーカ１３９から出力される音の周波数が高くなり、撮影スピーカ１３９から出力される音が基準スピーカ１３７から出力される音と同じ周波数の音になると、撮影枚数が１００枚に達したことが分かる。そして、撮影スピーカ１３９から出力される音が基準スピーカ１３７から出力される音より高い周波数になると、撮影枚数が１００枚より多くなったことが分かる。
【００７６】
以上、本発明の実施形態について図面を参照して詳述してきたが、具体的な構成はこの実施形態に限られるものではなく、本発明の要旨を逸脱しない範囲の設計変更等も含まれる。
例えば、上記各実施形態においては、撮影枚数カウント部２５による撮影枚数の計数、および、撮影ＬＥＤ部３９による発光または撮影スピーカ１３９による音の出力を、外部メモリ３３への画像データの転送前に行うことを例示して説明したが、これらを外部メモリ３３への画像データの転送終了後に行うこととしてもよい。
また、上記各実施形態においては、基準となる撮影枚数が１００枚であることを例示して説明したが、基準となる撮影枚数はこれに限定されるものではなく、１００枚より少ない枚数や多い枚数に設定することとしてもよい。
【図面の簡単な説明】
【００７７】
【図１】本発明の第１の実施形態に係るカメラを前面から見た概略構成図である。
【図２】図１のカメラを背面から見た概略構成図である。
【図３】図１のカメラを上方から見た概略構成図である。
【図４】図１のカメラの概略構成を示すブロック図である。
【図５】図１のカメラの連写撮影時の動作を示すフローチャート図である。
【図６】図１のカメラの発光パターン設定部による発光信号の設定動作を詳細に示すフローチャート図である。
【図７】本発明の第２の実施形態に係るカメラを前面から見た概略構成図である。
【図８】図７のカメラの概略構成を示すブロック図である。
【図９】図７のカメラの連写撮影時の動作を示すフローチャート図である。
【図１０】図７のカメラの音声パターン設定部による音声信号の設定動作を詳細に示すフローチャート図である。
【符号の説明】
【００７８】
１  カメラ
２３  撮像部（撮像素子）
２５  撮影枚数カウント部（撮影枚数計数部）
３７  基準ＬＥＤ部（基準情報報知部）
３９  撮影ＬＥＤ部（撮影情報報知部）
【図１】
2009080292.tif 000003
【図２】
2009080292.tif 000004
【図３】
2009080292.tif 000005
【図４】
2009080292.tif 000006
【図５】
2009080292.tif 000007
【図６】
2009080292.tif 000008
【図７】
2009080292.tif 000009
【図８】
2009080292.tif 000010
【図９】
2009080292.tif 000011
【図１０】
2009080292.tif 000012